Podtech/llm-jp-corpus-v4-ja_patent huggingface dataset:
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
有角対立遺伝子から無角対立遺伝子へのゲノム改変を含む、遺伝子改変非ヒト家畜動物。
【請求項２】
前記動物が前記有角対立遺伝子を有する第１の動物品種であり、前記無角対立遺伝子が第２の動物品種において見出される、請求項１に記載の動物。
【請求項３】
前記無角対立遺伝子が、天然対立遺伝子および合成対立遺伝子からなる群から選択される、請求項１または２に記載の動物。
【請求項４】
前記第１の品種が、ヘレフォード、アンガス、ショートホーン、シャロレー、リムザン、シンメンタール、ブラーマン、ブランガス、和牛、およびサンタ・ガートルーディス、エアシャー、ブラウン・スイス、カナディアンヌ、ダッチ・ベルテッド、ガーンジー、ホルスタイン（ホルスタイン−フリーシアン）、ジャージー、ケリー、ミルキング・デボン、ミルキング・ショートホーン、ノルウェージャン・レッド、ブサ、カナディアンヌ、エストニアン・レッド、フレックフィー、フリーイアン、ジロランド、イラワラ、アイリッシュ・モイルド、ラインバック、ムーズ・ライン・イッセル、モンベリアルド、ノルマンド、ランドール、サヒワール、オーストラリアン・ミルキング・ゼブ、シンメンタール、キアニーナ・マルキジャーナ、ロマニョーラからなる群から選択される；あるいは
前記第２の品種が、アンガス、レッド・アンガス、レッド・ポール、ギャロウェイ、ベルテッド・ギャロウェイ、アメリカン・ホワイト・パーク、ブリティッシュ・ホワイト、アメリファックス、ジャマイカ・ブラック、ジャマイカ・レッド、マレー・グレイ、ブランガス、レッド・ブランガス、セノポール、ボーア・ヤギからなる群から選択される；あるいは
前記無角対立遺伝子が、ＰＣケルト起源およびＰＦフリーシアン起源からなる群から選択される、請求項１〜３のいずれかに記載の動物。
【請求項５】
マーカーを含まない、および／またはレポーターを含まない、請求項１〜４のいずれかに記載の動物。
【請求項６】
前記遺伝子改変動物が、ウシ、ヤギ、ヒツジ、および偶蹄類からなる群から選択される、請求項１〜５のいずれかに記載の動物。
【請求項７】
細胞の有角対立遺伝子に対するゲノム改変を含む非ヒトインビトロ細胞。
【請求項８】
前記有角遺伝子座における前記改変が、前記有角対立遺伝子から無角対立遺伝子への改変である、請求項７に記載の細胞。
【請求項９】
前記細胞が、初代細胞、初代体細胞、接合体、家畜の幹細胞または始原生殖細胞である、請求項７または８に記載の細胞。
【請求項１０】
前記細胞が前記改変を受ける場合、無角対立遺伝子をコードする相同性依存型組換え鋳型を含む、請求項７〜９のいずれかに記載の細胞。
【請求項１１】
前記細胞の前記有角対立遺伝子において染色体ＤＮＡを切断するために、部位特異的エンドヌクレアーゼをさらに含む、請求項１０に記載の細胞。
【請求項１２】
動物をクローニングするための、請求項７〜１１のいずれかに記載の細胞の使用。
【請求項１３】
遺伝子改変された非ヒト家畜生物の作製方法であって、家畜初代細胞、家畜初代体細胞、家畜幹細胞、家畜始原生殖細胞、家畜接合体、家畜胚盤胞、または家畜胚の天然有角対立遺伝子を変更することを含み、前記有角対立遺伝子が無角対立遺伝子に変更される、方法。
【請求項１４】
前記家畜初代細胞、家畜初代体細胞、家畜幹細胞、家畜始原生殖細胞、家畜接合体、家畜胚盤胞、または家畜胚の天然有角対立遺伝子に、
ａ．前記天然有角対立遺伝子内の部位を特異的に切断する部位特異的ヌクレアーゼをコードする核酸と、
ｂ．前記無角対立遺伝子を含む核酸相同性依存型組換え鋳型と
を導入することを含む、請求項１３に記載の方法。
【請求項１５】
前記部位特異的ヌクレアーゼが、ジンクフィンガーヌクレアーゼ（ＺＦＮ）、転写活性化因子様エフェクターヌクレアーゼ（ＴＡＬＥＮ）および規則的な間隔をもってクラスター化された短鎖反復回文配列（ＣＲＩＳＰＲ）からなる群から選択される、請求項１３または１４に記載の方法。
【請求項１６】
前記初代細胞、初代体細胞、または接合体をクローニングして動物全体を作製することをさらに含む、請求項１３〜１５のいずれかに記載の方法。
【請求項１７】
請求項１３〜１６のいずれかに記載の方法によって作製された家畜動物。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
患者の管内への導入のための大きさ及び形状の血管内機器；
前記血管内機器、外部イメージングシステム、及びディスプレイに通信可能である処理システムであって、当該処理ユニットが：
患者の管内に位置付けられ、第１位置から第２位置へ管を通じて長手方向に動かされる間に血管内機器により取得される血管内データを取得し；
前記血管内機器が管を通じて長手方向に動かされる間、前記外部イメージングシステムにより取得される管の血管造影イメージを取得し；
前記血管内機器からの血管内データを血管造影イメージ上の場所に相関させ；及び
前記ディスプレイ上に管の改良された血管造影イメージを出力するように構成される、処理システムを備え、
前記改良された血管造影イメージが、相関された場所で血管内データを表す表示が重ね合わされた血管造影イメージを含む、患者の管を評価するためのシステム。
【請求項２】
前記血管内データが血管内イメージである、請求項１に記載のシステム。
【請求項３】
前記血管内イメージは、血管内超音波（ＩＶＵＳ）イメージ及び光コヒーレンス・トモグラフィー（ＯＣＴ）イメージの少なくとも一つである、請求項２に記載のシステム。
【請求項４】
前記血管内データは、圧力測定値である、請求項１に記載のシステム。
【請求項５】
前記表示が、計算された圧力比の表現を含む、請求項４に記載のシステム。
【請求項６】
前記血管内データが、流速測定値である、請求項１に記載のシステム。
【請求項７】
前記表示は、計算された流速比の表現を含む、請求項６に記載のシステム。
【請求項８】
請求項１に記載のシステムの作動方法であって、前記処理システムが、
患者の管内に位置付けられ、第１位置から第２位置へ管を通じて長手方向に動かされる間に血管内機器により取得される血管内データを取得する工程；
前記血管内機器が管を通じて長手方向に動かされる間、前記外部イメージングシステムにより取得される管の血管造影イメージを取得する工程；
前記血管内機器からの血管内データを血管造影イメージ上の場所に相関させる工程；及び
前記ディスプレイ上に管の改良された血管造影イメージを出力する工程、を実施することを含み、
前記改良された血管造影イメージが、相関された場所で血管内データを表す表示が重ね合わされた血管造影イメージを含む、作動方法。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
治療行為後の生理学的特性の改善を決定するシステムであって、該システムが、
プロセッサ、及び、
ストレージ媒体指令を読むことのできるコンピュータを備え、
前記ストレージ媒体指令が、実行されるとき、前記コンピュータに、
治療行為を行うに先立ち、生理学的特性のベースライン測定を決定させ、
前記治療行為を行った後、前記生理学的特性の治療後測定を決定させ、かつ、
前記治療後測定を前記ベースライン測定と比較させ、それにより、前記治療行為を行った後の前記生理学的特性の改善を決定するシステム。
【請求項２】
前記ベースライン測定及び前記治療後測定を決定することが、管内の流量及び／又は圧力の大きさを測定することを備える請求項１に記載のシステム。
【請求項３】
前記管が血管である請求項１又は２に記載のシステム。
【請求項４】
前記生物学的特性が、血流予備量比、インスタントウェーブフリー比、冠血流予備能、充血性狭窄部抵抗、冠動脈微小血管抵抗、微小血管抵抗指数又はその組合せから選択される請求項１乃至３のいずれか１項に記載のシステム。
【請求項５】
前記指令がさらに、前記コンピュータに、当該治療による治療後の改善の量を表示させる請求項１乃至４のいずれか１項に記載のシステム。
【請求項６】
表示させることが、グラフィック又はテキスト表示させることを備える請求項５に記載のシステム。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
医療機器の開口部をカバーするためのデバイスであって、
該デバイスは、多孔質閉鎖端と一体化しているデバイス共同端を有する焼結多孔質キャップ本体を含み、
該焼結多孔質キャップ本体の全体が、該キャップ本体の形状の型で焼結される実質的に均一な混合物を生成するプラスチック粒子およびエラストマー粒子の組み合わせを含み、
該多孔質キャップは、滅菌ガスが該多孔質キャップを通過することができるように焼結した後、１０％〜約９０％の空隙率を有し、
多孔質閉鎖端は、使用時に医療機器の開口部の物理的カバーとなり、
該多孔質キャップは、ＡＳＴＭの試験法２１０１に基づく９５％超の細菌ろ過効率を有し、そして、
空気流が、ＴＡＰＰＩのＴ４６０試験法を用いて測定したときガーレー秒数２００秒未満である、該デバイス。
【請求項２】
抗菌添加剤、変色指示薬、防腐性材料、吸収性材料、又はこれらの組み合わせをさらに
含む、請求項１に記載のデバイス。
【請求項３】
前記多孔質キャップを、アクセスポートへねじ止めする、延伸させてアクセスポートに被せる、又は摩擦力で嵌合させてアクセスポートへ差し込むよう構成する、請求項１に記載のデバイス。
【請求項４】
前記多孔質キャップは、該多孔質キャップを介して滅菌ガスが通過し、前記医療機器の前記一部に接触することを可能にする、請求項１に記載のデバイス。
【請求項５】
前記医療機器が液体アクセスポートである、請求項１に記載のデバイス。
【請求項６】
前記液体アクセスポートがルアー取付具又はコネクターを有する、請求項５に記載のデバイス。
【請求項７】
前記液体アクセスポートを血管内ライン、脳血管ライン、消化器ライン、末梢挿入型中
心カテーテル、尿道カテーテル、ドレナージチューブ、シャント、ＰＥＧチューブ、ＰＥ
Ｇ−Ｊチューブ、経鼻胃管若しくは気管チューブ又は別のチューブに接続する、請求項５
に記載のデバイス。
【請求項８】
前記多孔質キャップが前記医療機器への微生物の侵入を阻止し、
それにより前記医療機器の微生物汚染を遅らせる又は阻止する、先行する請求項１〜７のいずれかに記載のデバイス。
【請求項９】
焼結プラスチック粒子、焼結エラストマー粒子または両者の平均細孔径が約１μｍ〜約２００μｍの範囲である、請求項１に記載のデバイス。
【請求項１０】
焼結プラスチック粒子、焼結エラストマー粒子または両者の密度が約０．１ｇ／ｃｍ３〜約１ｇ／ｃｍ３の範囲である、請求項１に記載のデバイス。
【請求項１１】
前記焼結プラスチック粒子がポリオレフィンを含有する、請求項１に記載のデバイス。
【請求項１２】
前記ポリオレフィンが、ポリエチレン、超高分子量ポリエチレン又は高密度ポリエチレンを含む、請求項１１に記載のデバイス。
【請求項１３】
請求項１に記載のデバイスを前記医療機器の少なくとも一部に適用することを含
む、医療機器を微生物汚染から保護する方法。
【請求項１４】
医療機器の消毒方法であって、
請求項１〜１２いずれかに記載のデバイスを、前記医療機器の少なくとも一部
に被せる又は挿入し、
前記多孔質キャップを介して防腐剤を吸い上げ、
前記防腐剤を前記医療機器の外面又は内面に送達すること
を含む、消毒方法。
【請求項１５】
請求項１に記載のデバイスを前記医療機器に適用し、前記医療機器を包装体内部に置き、前記医療機器を滅菌ガスで滅菌することを含む、医療機器の微生物汚染を阻止する又は遅らせる方法。
【請求項１６】
前記デバイスをアクセス所望時に前記医療機器から取り外すこと、前記医療機器にアクセスすること、及び前記デバイスを前記医療機器に戻すこと、をさらに含む、請求項１３に記載の方法。
【請求項１７】
前記医療機器が、液体アクセスポート、コネクター、ライン、カテーテル、又は、血管
内ライン、脳室用ライン、消化器ライン、末梢挿入型中心カテーテル、尿道カテーテル、
ドレナージチューブ、シャント、ＰＥＧチューブ、ＰＥＧ−Ｊチューブ、経鼻胃管、及び
気管内チューブからなる群から選択されるチューブである、先行する請求項１〜１２のいずれかに記載のデバイス。
【請求項１８】
医療機器の開口部の少なくとも一部をカバー又は通気するためのデバイスであって、
該デバイスが、該医療機器の開口部と協同するためのインターフェースおよび対向開口部を有する多孔質キャップ；および
該キャップの該対向開口部に挿入するための多孔質通気体ディスクを含み、
該多孔質キャップが焼結多孔質キャップ本体を含み、
該焼結多孔質キャップ本体の全体が、該キャップ本体の形状の型で焼結される実質的に均一な混合物を生成するプラスチック粒子およびエラストマー粒子の組み合わせを含み、
該多孔質キャップは、滅菌ガスが該多孔質キャップを通過することができるように焼結した後、１０％〜約９０％の空隙率を有し、
該多孔質キャップは、ＡＳＴＭの試験法２１０１に基づく９５％超の細菌ろ過効率を有し、
そして、該デバイスの空気流が、ＴＡＰＰＩのＴ４６０試験法を用いて測定したときガーレー秒数２００秒未満であり、
該通気体ディスクが、焼結プラスチック粒子、焼結エラストマー粒子又はこれらの組み合わせを含む焼結多孔質媒体を含む、該デバイス。
【請求項１９】
前記多孔質キャップ又は前記多孔質通気体ディスクは、これらを介して滅菌ガスが通過し、前記医療機器の前記一部に接触することを可能にする、請求項１８に記載のデバイス。
【請求項２０】
前記多孔質キャップ又は前記多孔質通気体ディスクが前記医療機器への微生物の侵入を阻止し、
それにより前記医療機器の微生物汚染を遅らせる又は阻止する、先行する請求項１８〜１９のいずれかに記載のデバイス。
【請求項２１】
前記多孔質通気体ディスクは、ＡＳＴＭの２７０１試験法に基づいた細
菌ろ過効率がより大きい９０％を有する、先行する請求項１８〜２０のいずれかに記載のデバイス。
【請求項２２】
前記多孔質通気体ディスクがキャップ、プラグ、膜、又はシリンジフィルターである、請求項１８に記載のデバイス。
【請求項２３】
前記請求項１８に記載のデバイスを医療機器に挿入し、前記多孔質通気体ディスクを介してガスを通過させ、かつ、前記多孔質通気体ディスクを介して液体及び微生物が流れることを阻止することを含む、医療機器を通気する方法。
【請求項２４】
医療機器の消毒方法であって、
請求項１８〜２２いずれかに記載のデバイスを、前記医療機器の少なくとも一部に被せる又は挿入し、
前記多孔質キャップ又は前記多孔質通気体ディスクを介して防腐剤を吸い上げ、
前記防腐剤を前記医療機器の外面又は内面に送達すること
を含む、消毒方法。
【請求項２５】
前記医療機器が、液体アクセスポート、コネクター、ライン、カテーテル、又は、血管内ライン、脳室用ライン、消化器ライン、末梢挿入型中心カテーテル、尿道カテーテル、ドレナージチューブ、シャント、ＰＥＧチューブ、ＰＥＧ−Ｊチューブ、経鼻胃管、及び気管内チューブからなる群から選択されるチューブである、先行する請求項１８〜２２のいずれかに記載のデバイス。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
対象物を追跡するためのナビゲーションシステムであって、
追跡信号を送信するように構成された追跡素子を有する追跡ヘッドを備えている追跡装置と、
前記対象物の位置を決定するために前記追跡素子から前記追跡信号を受信するように構成されたセンサと、
前記追跡ヘッドによって支持されたエラー指示計であって、前記エラー指示計は、前記センサが前記追跡素子から前記追跡信号を受信するときのエラーを示すように構成されており、第１の発光素子および第２の発光素子を備えている、エラー指示計と、
前記センサが前記追跡素子から前記追跡信号を受信したかどうかを判断し、もし前記センサが前記追跡信号を受信しなかったなら、エラー信号を生成するように構成されたコンピュータシステムであって、前記コンピュータシステムはさらに、
前記エラー信号の生成に応じて、前記第１の発光素子を作動させ、前記エラー信号の生成に応じて、前記第２の発光素子を作動停止させるように構成され、または、
前記エラー信号の生成に応じて、第１の着色光を放射させるために、前記エラー信号がないときには、第２の着色光を放射させるために、前記第１および第２の発光素子を作動させるように構成されている、コンピュータシステムと、
を備えている、
ナビゲーションシステム。
【請求項２】
前記第１の発光素子は、前記第１の着色光を放射するように構成されており、前記第２の発光素子は、前記第２の着色光を放射するように構成されており、前記コンピュータシステムは、前記エラー信号の生成に応じて、前記第１の着色光を放射させるために、前記第１の発光素子を作動させ、前記エラー信号の生成に応じて、前記第２の着色光の放射を中断させるために、前記第２の発光素子を作動停止させるように構成されている、請求項１に記載のナビゲーションシステム。
【請求項３】
前記追跡ヘッドは、前記対象物に取り付けられるように構成された追跡本体を備えており、前記追跡本体は、光リングを備えており、前記第１および第２の発光素子は、前記光リングを照明するために、前記光リングの内側に位置するように前記追跡本体に取り付けられている、請求項２に記載のナビゲーションシステム。
【請求項４】
前記第１の発光素子は、前記コンピュータシステムが前記エラー信号を生成したときに前記光リングが前記第１の着色光によって照明され、前記第１の着色光を放射するように構成された発光ダイオードであり、前記第２の発光素子は、前記センサが前記追跡信号を受信したと前記コンピュータシステムが判断したとき、前記光リングが前記第２の着色光によって照明され、前記第２の着色光を放射するように構成された発光ダイオードである、請求項３に記載のナビゲーションシステム。  
【請求項５】
前記追跡本体は、上面、底面、および側面を備えており、前記追跡本体は、前記側面に画定された光開口を画定しており、前記第１および第２の発光素子の一方から光が前記光開口を通って放射されるようになっている、請求項１に記載のナビゲーションシステム。
【請求項６】
前記センサは、視野を有しており、前記追跡素子は、前記追跡素子が前記視野内にあるように前記対象物に取付け可能になっている、請求項１に記載のナビゲーションシステム。
【請求項７】
第２の追跡素子を備えており、前記追跡素子は、赤外線を放射するように構成された発光ダイオードである、請求項１に記載のナビゲーションシステム。
【請求項８】
前記追跡素子は、見通し線追跡素子である、請求項７に記載のナビゲーションシステム。
【請求項９】
前記追跡素子は、発光ダイオードである、請求項７に記載のナビゲーションシステム。
【請求項１０】
前記追跡素子は、反射ボールである、請求項７に記載のナビゲーションシステム。
【請求項１１】
追跡信号を送信するための第２および第３の追跡素子を備えている、請求項１に記載のナビゲーションシステム。
【請求項１２】
前記コンピュータシステムは、
前記追跡要素の３つの全ての連続的作動を含む追跡サイクルにおいて、前記センサが前記追跡素子の３つの全てから前記追跡信号を受信しているかどうかを判断し、
もし前記追跡サイクルにおいて、前記センサが前記追跡素子の３つの全てから前記追跡信号を受信しなかったなら、前記エラー信号を生成するように構成されている、請求項１１に記載のナビゲーションシステム。
【請求項１３】
対象物を追跡するための方法であって、
追跡素子およびセンサの一方を前記対象物に取り付けるステップと、
前記追跡素子から追跡信号を送信するステップと、
前記センサが前記追跡素子から前記追跡信号を受信したかどうかを判断するステップと、
もし前記センサが前記追跡信号を受信しなかったなら、エラー信号を生成するステップと、
前記エラー信号の生成に応じて、第１の発光素子を作動させ、前記エラー信号の生成に応じて、第２の発光素子を作動停止させるステップ、または、
前記エラー信号の生成に応じて、第１の着色光を放射させるために、前記エラー信号がないときには、第２の着色光を放射させるために、前記第１および第２の発光素子を作動させるステップと、
を含んでいる、方法。
【請求項１４】
前記エラー信号の生成に応じて、第１の着色光を放射させるように前記第１の発光素子を作動させることを含んでいる、請求項１３に記載の方法。
【請求項１５】
エラー信号が生じていないとき、第２の着色光を放射させるように前記第２の発光素子を作動させることを含んでいる、請求項１４に記載の方法。
【請求項１６】
エラー信号が生じていないとき、緑色光を放射させることを含んでいる、請求項１５に記載の方法。
【請求項１７】
前記エラー信号の生成に応じて、前記第１の着色光によって光リングを照明し、エラー信号が生じていないとき、前記第２の着色光によって前記光リングを照明することを含んでいる、請求項１５に記載の方法。
【請求項１８】
前記センサの視野内において前記追跡素子を前記対象物に取り付けることを含んでいる、請求項１３に記載の方法。
【請求項１９】
第２および第３の追跡素子を前記対象物に取り付け、前記第２および第３の追跡素子から追跡信号を送信することを含んでいる、請求項１３に記載の方法。
【請求項２０】
前記追跡素子の各々を骨に取り付けることを含んでいる、請求項１９に記載の方法。
【請求項２１】
前記追跡要素の３つの全ての連続的作動を含む追跡サイクルにおいて、前記センサが前記追跡素子の３つの全てから前記追跡信号を受信しているかどうかを判断し、もし前記追跡サイクルにおいて前記センサが前記追跡素子の３つの全てから前記追跡信号を受信しなかったなら、前記エラー信号を生成することを含んでいる、請求項１９に記載の方法。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
上部と下方へ延長したサイドウォールとを含む複数の横のワイヤと、複数の縦のワイヤであって、前記上部の下の縦のワイヤ、側部の縦のワイヤ、及び底部の縦のワイヤを有する前記縦のワイヤと、を備えるケーブルトレイと、
第１の端部と第２の端部とともに上方のループを有する少なくとも一つのサイドウォールブラケットと、
前記上方のループの前記第１の端部と前記第２の端部から延長しているカーブ部分と、
Ｕ型の内側脚部と外側脚部にいたるフックによって定義された傾斜脚であって、前記カーブ部分から延長している前記傾斜脚と、を備え、
各々の前記傾斜脚の前記内側脚部は、前記側部の縦のワイヤと前記底部の縦のワイヤの第１の表面と係合し、及び各々の前記傾斜脚の前記外側脚部は、少なくとも一つのサイドウォールブラケットを前記ケーブルトレイに固着するために前記側部の縦のワイヤと前記底部の縦のワイヤの前記第１の表面に対応する第２の表面と係合し、
それによって、前記少なくとも一つのサイドウォールブラケットは、前記少なくとも一つのサイドウォールブラケットの前記上方のループが前記ケーブルトレイ上にケーブルを保持するのを支援するために、前記ケーブルトレイの前記上部の上に延長するように前記ケーブルトレイに設置されており、
前記ケーブルトレイと、前記ケーブルトレイに配線されたケーブルを保持する前記ケーブルトレイに固着された少なくとも一つのサイドウォールブラケットとからなるケーブルトレイとサイドウォールブラケットのコンビネーション。
【請求項２】
各々のフックは、Ｕ型であり、前記Ｕ型の内側脚部と前記Ｕ型のフックは、互いに反対方向に延長する請求項１に記載のケーブルトレイとサイドウォールブラケットのコンビネーション。
【請求項３】
前記内側脚部は、前記外側脚部と平行である請求項１に記載のケーブルトレイとサイドウォールブラケットのコンビネーション。
【請求項４】
前記内側脚部と前記外側脚部は、少なくとも一つのサイドウォールブラケットを前記ケーブルトレイで確かなグリップの維持をさせるために相殺される請求項１に記載のケーブルトレイとサイドウォールブラケットのコンビネーション。
【請求項５】
前記外側脚部は末端部を有し、前記外側脚部の各々の前記末端部は、少なくとも一つの前記サイドウォールブラケットの中心から離れて曲がっている請求項１に記載のケーブルトレイとサイドウォールブラケットのコンビネーション。
【請求項６】
前記外側脚部は末端部を有し、前記外側脚部の各々の前記末端部は、少なくとも一つの前記サイドウォールブラケットの中心に向かって曲がっている請求項１に記載のケーブルトレイとサイドウォールブラケットのコンビネーション。
【請求項７】
各々のフック、外側脚部及び内側脚部は、前記ケーブルトレイの前記側部の縦のワイヤの一つをつかむ足の開口を定義する請求項１に記載のケーブルトレイとサイドウォールブラケットのコンビネーション。
【請求項８】
前記設置された少なくとも一つのサイドウォールブラケットの前記上方のループ部分は、前記ケーブルトレイに対して垂直平面内で垂直方向に延長する請求項１に記載のケーブルトレイとサイドウォールブラケットのコンビネーション。
【請求項９】
前記設置された少なくとも一方のウォールブラケットの前記傾斜脚は、前記ケーブルトレイに対して４５度の角度に配置されている請求項１に記載のケーブルトレイとサイドウォールブラケットのコンビネーション。
【請求項１０】
上部と下方へ延長したサイドウォールとを含む複数の横のワイヤと、複数の縦のワイヤであって、前記上部の下の縦のワイヤ、側部の縦のワイヤ、及び底部の縦のワイヤを有する前記縦のワイヤと、を備えるケーブルトレイと、
前記ケーブルトレイに設置された少なくとも一つのサイドウォールブラケットであって、前記ケーブルトレイ上でケーブルを保持するのを支援するために前記ケーブルトレイの前記上部を延長している、少なくとも一つのサイドウォールブラケットと、を備え
前記少なくとも一つのサイドウォールブラケットは、Ｕ型の内側脚部と外側脚部にいたるフックによって定義された傾斜脚を有し、
各々の前記傾斜脚の前記内側脚部は、前記側部の縦のワイヤと前記底部の縦のワイヤの第１の表面と係合し、及び各々の前記傾斜脚の前記外側脚部は、少なくとも一つのサイドウォールブラケットを前記ケーブルに固着するために前記側部の縦のワイヤと前記底部の縦のワイヤの前記第１の表面に対応する第２の表面と係合し、
前記ケーブルトレイと、前記ケーブルトレイに配線されたケーブルを保持する前記ケーブルトレイに固着された少なくとも一つのサイドウォールブラケットとからなるケーブルトレイとサイドウォールブラケットのコンビネーション。
【請求項１１】
各々のフックは、Ｕ型であり、前記Ｕ型の内側脚部と前記Ｕ型のフックは、互いに反対方向に延長する請求項１０に記載のケーブルトレイとサイドウォールブラケットのコンビネーション。
【請求項１２】
前記内側脚部は、前記外側脚部と平行である請求項１０に記載のケーブルトレイとサイドウォールブラケットのコンビネーション。
【請求項１３】
前記内側脚部と前記外側脚部は、少なくとも一つのサイドウォールブラケットを前記ケーブルトレイで確かなグリップの維持をさせるために相殺される請求項１０に記載のケーブルトレイとサイドウォールブラケットのコンビネーション。
【請求項１４】
前記外側脚部は末端部を有し、前記外側脚部の各々の前記末端部は、少なくとも一つの前記サイドウォールブラケットの中心から離れて曲がっている請求項１０に記載のケーブルトレイとサイドウォールブラケットのコンビネーション。
【請求項１５】
前記外側脚部は末端部を有し、前記外側脚部の各々の前記末端部は、少なくとも一つの前記サイドウォールブラケットの中心に向かって曲がっている請求項１０に記載のケーブルトレイとサイドウォールブラケットのコンビネーション。
【請求項１６】
各々のフック、外側脚部及び内側脚部は、前記ケーブルトレイの前記側部の縦のワイヤの一つをつかむ足の開口を定義する請求項１０に記載のケーブルトレイとサイドウォールブラケットのコンビネーション。
【請求項１７】
前記少なくとも一方のウォールブラケットの前記傾斜脚は、前記ケーブルトレイに対して４５度の角度に配置されている請求項１０に記載のケーブルトレイとサイドウォールブラケットのコンビネーション。
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
ｍｉＲ−１２４を調節して、哺乳動物の栄養膜幹細胞から膵臓前駆細胞への分化を誘導することを含む、哺乳動物の栄養膜幹細胞を分化させる方法。
【請求項２】
哺乳動物の栄養膜幹細胞が、ヒト栄養膜幹細胞（ｈＴＳ細胞）である、請求項１に記載の方法。
【請求項３】
哺乳動物の栄養膜幹細胞が、げっ歯類、ウサギ、ウシ、ヒツジ、ブタ、イヌ、ネコ、サル、または類人猿由来である、請求項１に記載の方法。
【請求項４】
調節により、ｍｉＲ−１２４が活性化される、請求項１〜３のいずれか一項に記載の方法。
【請求項５】
調節が、哺乳動物の栄養膜幹細胞を、１種またはそれより多くの物質と接触させることを含む、請求項１〜４のいずれか一項に記載の方法。
【請求項６】
１種またはそれより多くの物質が、タンパク質またはステロイドホルモンを含む、請求項５に記載の方法。
【請求項７】
タンパク質またはステロイドホルモンが、増殖因子を含む、請求項６に記載の方法。
【請求項８】
増殖因子が、線維芽細胞増殖因子（ＦＧＦ）である、請求項７に記載の方法。
【請求項９】
ＦＧＦが、ｂＦＧＦ（塩基性線維芽細胞増殖因子）である、請求項８に記載の方法。
【請求項１０】
ｂＦＧＦの濃度が、約１〜約１００ｎｇ／ｍＬである、請求項９に記載の方法。
【請求項１１】
ｂＦＧＦの濃度が、約１０ｎｇ／ｍＬである、請求項１０に記載の方法。
【請求項１２】
１種またはそれより多くの物質が、抗酸化剤または還元剤をさらに含む、請求項６〜１１のいずれか一項に記載の方法。
【請求項１３】
抗酸化剤または還元剤が、２−メルカプトエタノールである、請求項１２に記載の方法。
【請求項１４】
２−メルカプトエタノールの濃度が、約０．１〜約１０ｍｍｏｌ／Ｌである、請求項１３に記載の方法。
【請求項１５】
２−メルカプトエタノールの濃度が、約１ｍｍｏｌ／Ｌである、請求項１４に記載の方法。
【請求項１６】
１種またはそれより多くの物質が、ビタミンをさらに含む、請求項６〜１５のいずれか一項に記載の方法。
【請求項１７】
ビタミンが、ニコチンアミドである、請求項１６に記載の方法。
【請求項１８】
ニコチンアミドの濃度が、約１〜約１００ｍｍｏｌ／Ｌである、請求項１７に記載の方法。
【請求項１９】
ニコチンアミドの濃度が、約１０ｍｍｏｌ／Ｌである、請求項１８に記載の方法。
【請求項２０】
ｍｉＲ−１２４が、ｍｉＲ−１２４ａである、請求項１〜１９のいずれか一項に記載の方法。
【請求項２１】
ｍｉＲ−１２４ａが、ヒトｍｉＲ−１２４ａ（ｈｓａ−ｍｉＲ−１２４ａ）である、請求項２０に記載の方法。
【請求項２２】
ｈｓａ−ｍｉＲ−１２４ａが、ｈｓａ−ｍｉＲ−１２４−５ｐ（配列番号１：ＣＧＵＧＵＵＣＡＣＡＧＣＧＧＡＣＣＵＵＧＡＵ）またはそれらのフラグメントである、請求項２１に記載の方法。
【請求項２３】
ｈｓａ−ｍｉＲ−１２４ａが、ｈｓａ−ｍｉＲ−１２４−３ｐ（配列番号２：ＵＡＡＧＧＣＡＣＧＣＧＧＵＧＡＡＵＧＣＣ）またはそれらのフラグメントである、請求項２１に記載の方法。
【請求項２４】
哺乳動物の栄養膜幹細胞を、１種またはそれより多くの物質と接触させて、ｍｉＲ−１２４を活性化させること、それによりグルコース刺激に応答してインスリンを分泌する前駆細胞を生産することを含む、インスリンの生産方法。
【請求項２５】
ベータトロフィンタンパク質またはベータトロフィンのｍＲＮＡの生産方法であって、哺乳動物の栄養膜幹細胞を、１種またはそれより多くの物質と接触させて、ｍｉＲ−１２４を活性化させること、それによりベータトロフィンタンパク質またはベータトロフィンのｍＲＮＡを生産する前駆細胞を生産することを含む、上記方法。
【請求項２６】
Ｆｏｘａ２、Ｎｇｎ３、Ｐｔｆ１ａ、Ｎｋｘ６．１、またはそれらのあらゆる組み合わせを含む１種またはそれより多くの転写因子を発現する、単離された膵臓前駆細胞。
【請求項２７】
ベータトロフィン、ベータトロフィンのｍＲＮＡ、Ｃ−ペプチド、またはそれらのあらゆる組み合わせを発現する単離された膵臓前駆細胞であって、単離された前駆細胞が、哺乳動物の栄養膜幹細胞から分化したものである、上記膵臓前駆細胞。
【請求項２８】
疾患の処置に使用するための物質をスクリーニングする方法であって：
ａ）請求項２６または２７に記載の単離された膵臓前駆細胞を、物質と接触させること；および
ｂ）単離された膵臓前駆細胞における転写物またはタンパク質のうち少なくとも１つのレベルの変化を検出すること
を含む、上記方法。
【請求項２９】
細胞の細胞調節のための物質をスクリーニングする方法であって、該方法は：
ａ）請求項２６または２７に記載の単離された膵臓前駆細胞を、物質と接触させること；
ｂ）物質との接触に起因する、単離された膵臓前駆細胞における表現型または代謝の変化を決定すること；および
ｃ）該変化と細胞調節とを関連付けること
を含む、上記方法。
【請求項３０】
細胞の細胞毒性に関して物質をスクリーニングする方法であって、該方法は：
ａ）請求項２６または２７に記載の単離された膵臓前駆細胞を、物質と接触させること；
ｂ）物質との接触に起因する、単離された膵臓前駆細胞における表現型または代謝の変化を決定すること；および
ｃ）該変化と細胞毒性とを関連付けること
を含む、上記方法。
【請求項３１】
請求項２６または２７に記載の単離された膵臓前駆細胞を含有する、疾患治療用医薬組成物。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
肺の特徴を監視するシステムであって、
被験者の気道への供給のために呼吸可能な気体の加圧流を生成する圧力生成器と、
前記呼吸可能な気体の加圧流の１つ以上の気体パラメータに関連する情報を伝える１つ以上の出力信号を生成する１つ以上のセンサと、
コンピュータプログラムモジュールを実行する１つ以上のプロセッサと
を有し、前記コンピュータプログラムモジュールは、
前記呼吸可能な気体の加圧流の前記１つ以上の気体パラメータの１つ以上のレベルを調節するために前記圧力生成器を制御する制御モジュールと、
呼吸パラメータを決定するパラメータ決定モジュールであって、前記呼吸パラメータの第１の測定値と前記呼吸パラメータの第２の測定値との間の変化を反映する監視パラメータを更に決定し、前記第１の測定値は睡眠時間の前に得られ、前記第２の測定値が睡眠時間後に得られる当該パラメータ決定モジュールと、
前記監視パラメータに基づいて前記被験者の肺の特徴を検出、監視及び／又は定量化する検出モジュールと
を有する、当該システム。
【請求項２】
前記監視パラメータの１つ以上の傾向を検出するトレンディングモジュールを更に有し、前記検出モジュールによる定量化が検出された傾向に更に基づく、請求項１記載のシステム。
【請求項３】
前記呼吸可能な気体の加圧流の前記１つ以上の気体パラメータの前記レベルに適用される摂動を規定する１つ以上の摂動パラメータを決定する摂動モジュールを更に有し、
前記制御モジュールは、前記呼吸可能な気体の加圧流の前記１つ以上の気体パラメータの前記レベルが前記摂動モジュールにより規定される摂動を含むように前記圧力生成器を制御する、請求項１記載のシステム。
【請求項４】
前記第１の測定値と前記第２の測定値との間の前記変化が、肺の流体の蓄積を反映する、請求項１記載のシステム。
【請求項５】
前記第１の測定値と前記第２の測定値との間の変化は、肺の流体の再分配を反映する、請求項１記載のシステム。
【請求項６】
前記検出モジュールにより決定される前記被験者の肺の特徴が、肺水腫、気道抵抗及び／又は肺鬱血を含む、請求項１記載のシステム。
【請求項７】
被験者の肺の特徴及び／又は肺の特徴における傾向を検出する方法であって、
呼吸可能な気体の加圧流の１つ以上の気体パラメータに関連する情報を伝える１つ以上の出力信号を生成するステップと、
前記被験者の呼吸パラメータの第１の測定値を決定するステップであって、前記第１の測定値は１つ以上の生成された前記出力信号に基づく当該ステップと、
前記被験者の前記呼吸パラメータの第２の測定値を決定するステップであって、前記第２の測定値は前記１つ以上の生成された出力信号に基づくものであり、前記第１の測定値は睡眠時間の前に得られ、前記第２の測定値が睡眠時間後に得られる当該ステップと、
前記第１の測定値と前記第２の測定値との間の前記変化を反映する監視パラメータを決定するステップと、
前記監視パラメータに基づいて前記被験者の肺の特徴を検出するステップと
を有する、当該方法。
【請求項８】
前記監視パラメータの１つ以上の傾向を検出するステップを更に有し、
前記被験者の肺の特徴を検出するステップが、検出された傾向に更に基づく、請求項７記載の方法。
【請求項９】
前記呼吸可能な気体の加圧流の前記１つ以上の気体パラメータの１つ以上のレベルに適用される摂動を規定する１つ以上の摂動パラメータを決定するステップを更に有する、請求項７記載の方法。
【請求項１０】
前記第１の測定値と前記第２の測定値との間の前記変化が、肺の流体の蓄積を反映する、請求項７記載の方法。
【請求項１１】
前記第１の測定値と前記第２の測定値と間の前記変化が、肺の流体の再分配を反映する、請求項７記載の方法。
【請求項１２】
前記被験者の肺の特徴が、肺水腫、気道抵抗及び／又は肺鬱血を含む、請求項７記載の方法。
【請求項１３】
肺の特徴を監視するシステムであって、
被験者の気道への供給のために呼吸可能な気体の加圧流を生成する手段と、
前記呼吸可能な気体の加圧流の１つ以上の気体パラメータに関連する情報を伝える１つ以上の出力信号を生成する手段と、
前記呼吸可能な気体の加圧流の前記１つ以上の気体パラメータの１つ以上のレベルを調節する手段と、
前記被験者の呼吸パラメータの第１の測定値を決定する手段であって、前記第１の測定値は１つ以上の生成された前記出力信号に基づく当該手段と、
前記呼吸パラメータの第２の測定値を決定する手段であって、前記第２の測定値は前記１つ以上の生成された出力信号に基づくものであり、前記第１の測定値は睡眠時間の前に得られ、前記第２の測定値が睡眠時間後に得られる当該手段と、
前記第１の測定値と前記第２の測定値との間の前記変化を反映する監視パラメータを決定する手段と、
前記監視パラメータに基づいて前記被験者の肺の特徴を検出、監視及び／又は定量化する手段と
を有する、当該システム。
【請求項１４】
前記監視パラメータの１つ以上の傾向を検出する手段を更に有し、
肺水腫及び／又は肺鬱血を定量化する前記手段の動作が検出された傾向に更に基づく、請求項１３記載のシステム。
【請求項１５】
前記呼吸可能な気体の加圧流の前記１つ以上の気体パラメータの前記レベルに適用される摂動を規定する１つ以上の摂動パラメータを決定する手段を更に有し、
前記１つ以上の気体パラメータの１つ以上のレベルを調節する手段は、前記呼吸可能な気体の加圧流の前記１つ以上の気体パラメータの前記レベルが規定される前記摂動を含むように動作する、請求項１３記載のシステム。
【請求項１６】
前記第１の測定値と前記第２の測定値との間の前記変化が肺の流体の蓄積を反映する、請求項１３記載のシステム。
【請求項１７】
前記第１の測定値と前記第２の測定値と間の前記変化が肺の流体の再分配を反映する、請求項１３記載のシステム。
【請求項１８】
前記被験者の肺の特徴が、肺水腫、気道抵抗及び／又は肺鬱血を含む、請求項１３記載のシステム。
【誤訳訂正書】
【提出日】平成29年4月11日(2017.4.11)
【誤訳訂正１】
【訂正対象書類名】特許請求の範囲
【訂正対象項目名】全文
【訂正方法】変更
【訂正の内容】
【特許請求の範囲】
【請求項１】
レドックスフロー電池エネルギー貯蔵システムのレドックスフロー電気化学セルの正電解液においてＶ＋４／Ｖ＋５レドックス対及び負電解液においてＶ＋２／Ｖ＋３レドックス対を使用した当該レドックスフロー電池エネルギー貯蔵システムであって、補助レドックス対が、前記正電解液中に、前記液中で前記主レドックス対のバナジウムが実質的に完全に酸化する場合に電荷電流を支持するのに十分なモル含有率で存在し、平衡モル量の還元可能なレドックス対が、前記負電解液に存在し、前記正電解液がメタンスルホン酸を含み、前記補助レドックス対がＣｅ＋３／Ｃｅ＋４であることを特徴とする、レドックスフロー電池エネルギー貯蔵システム。
【請求項２】
前記正電解液が硫酸とメタンスルホン酸溶液の混合物であり、前記補助レドックス対が前記正電解液中に少なくとも１００ミリモル/リットルの量で存在する、請求項１に記載のレドックスフロー電池エネルギー貯蔵システム。
【請求項３】
少なくとも前記正電解液が、アンチモン、ホウ砂又はテルルのいずれかを含み、酸素放出過電圧を増加させる、請求項１に記載のレドックスフロー電池エネルギー貯蔵システム。
【請求項４】
２つの電解液の前記補助レドックス対及び前記平衡モル量の還元可能なレドックス対が、所定の最大制限時間での完全なバナジウム酸化を超えて電荷電流を支持するように適合されており、前記レドックスフロー電気化学セルの前記正極における不慮の酸素放出を防止する、請求項１又は２に記載のレドックスフロー電池エネルギー貯蔵システム。
【請求項５】
前記負電解液に添加されている前記残りのモル量の還元可能なレドックス対が、Ｖ＋２／Ｖ＋３、Ｃｒ＋２／Ｃｒ＋３から構成される群に属する、請求項１又は２に記載のレドックスフロー電池エネルギー貯蔵システム。
【請求項６】
前記正電解液において抗凝固剤、及び／又は流動する前記正電解液を磁界に供するのに適合した磁気的手段をさらに含む、請求項１に記載のレドックスフロー電池エネルギー貯蔵システム。
【請求項７】
前記正電解液中の前記抗凝固剤が、前記酸電解液に可溶な電子供与体のルイス塩基化合物である、請求項６に記載のレドックスフロー電池エネルギー貯蔵システム。
【請求項８】
前記正電解液中の前記抗凝固剤が、ピリジン、ビピリジン及びベンゼンから構成される群に属する、請求項６に記載のレドックスフロー電池エネルギー貯蔵システム。
【誤訳訂正２】
【訂正対象書類名】明細書
【訂正対象項目名】００１３
【訂正方法】変更
【訂正の内容】
【００１３】
もはや存在しない酸化可能なＶ＋４イオンの代替物である酸化可能なＣ＋３イオンのフラクションのかかる「緩衝」機能は、正電解液中の主レドックス対Ｖ＋４／Ｖ＋５のバナジウムのＶ＋５への実質的に完全な酸化の後に最終的に継続することができ、この目的で、平衡モル量の還元可能なレドックス対もまた負電解液に添加される。当然ながら、該２種の電解液中の補助レドックス対要素の添加フラクション（濃度）は、バナジウム投入分の完全な酸化後の最小の時間間隔の関数で決定され、該システムは、不慮のランアウト充電プロセス（最大許容過充電）を停止する前に動作し続けることができる。
【誤訳訂正３】
【訂正対象書類名】明細書
【訂正対象項目名】００１４
【訂正方法】変更
【訂正の内容】
【００１４】
負電解液においてＶ＋２／Ｖ＋３レドックス対を使用した全バナジウムＲＦＢシステムの場合、バナジウムのＶ＋５への完全な酸化が正電解液において達成されるときいつでも、さらに還元される平衡モル量のＶ＋３イオンの存在の準備をするのに十分である。
【誤訳訂正４】
【訂正対象書類名】明細書
【訂正対象項目名】００１５
【訂正方法】変更
【訂正の内容】
【００１５】
代替的には、平衡モル量の補助Ｃｒ＋２／Ｃｒ＋３レドックス対が、負電解液中の主Ｖ＋２／Ｖ＋３レドックス対にも添加されてよい。この代替は、正電解液においてＣｅ＋３の標準酸化電位（１．４６Ｖ）がＶ＋４の標準酸化電位よりも正であるということによる向上に加えて、負電解液においてＣｒ＋３の標準還元電位（−０．４１Ｖ）がＶ＋３の標準還元電位と比較してより負であるため、セル開回路電圧の向上に寄与するという利点を有する。
【誤訳訂正５】
【訂正対象書類名】明細書
【訂正対象項目名】００３４
【訂正方法】変更
【訂正の内容】
【００３４】
同じ平衡モル量のセリウムがバナジウムの負電解液にも添加されて、同様の補助Ｃｒ＋３／Ｃｒ＋２対を付与することができるが、これは、還元可能なＶ＋３イオンが全体的又は局所的に枯渇する場合、又はバナジウムＲＦＢシステムの予想外の過充電の場合に、カソード反応を支持することが可能であり、（先に示した阻害剤によって被毒された）寄生性の水素放出を防止する。しかし、負極側では、同じ平衡化が、負電解液中のバナジウムの（すなわち、主Ｖ＋２／Ｖ＋３レドックス対の）モル量の比例的な増分によって、好ましくは、より経済的になされる。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
ユーザーインターフェイス素子を少なくとも１つの光源と関連付ける方法であって、
複数のＬＥＤのうちの１つ以上の覆われたＬＥＤの上のユーザーインターフェイス素子の存在を特定するステップと、
前記ユーザーインターフェイス素子の存在の特定に基づき、前記ユーザーインターフェイス素子を前記ＬＥＤのうちの被制御ＬＥＤの制御と関連付けるステップと、
前記ユーザーインターフェイス素子の少なくとも１つの照明制御特性を特定するステップと、
前記ユーザーインターフェイス素子とのユーザーインタラクションを特定するステップと、
前記ユーザーインターフェイス素子との前記ユーザーインタラクションに応じて前記被制御ＬＥＤの少なくとも１つの特性を調整するステップとを含み、
前記被制御ＬＥＤの前記調整は、前記ユーザーインターフェイス素子の前記照明制御特性に基づき、前記ユーザーインターフェイス素子は前記覆われたＬＥＤの上に取り付け可能である、方法。
【請求項２】
前記ユーザーインターフェイス素子との前記ユーザーインタラクションを特定する前記ステップは、前記覆われたＬＥＤのうちの少なくとも１つのＬＥＤによる前記ユーザーインターフェイス素子との前記ユーザーインタラクションのセンシングを含む、請求項１に記載の方法。
【請求項３】
前記ユーザーインターフェイス素子との前記ユーザーインタラクションを特定する前記ステップは、前記ユーザーインターフェイス素子との前記ユーザーインタラクションに応じて前記ユーザーインターフェイス素子からユーザーインタラクションデータを受け取るステップを含む、請求項１に記載の方法。
【請求項４】
前記ユーザーインターフェイス素子を被制御ＬＥＤの制御と関連付ける前記ステップは、前記ユーザーインターフェイス素子の前記被制御ＬＥＤへの近さに基づく、請求項１に記載の方法。
【請求項５】
前記ユーザーインターフェイス素子を被制御ＬＥＤの制御と関連付ける前記ステップは、前記覆われたＬＥＤの前記被制御ＬＥＤとの関連付けに基づく、請求項１に記載の方法。
【請求項６】
前記ユーザーインターフェイス素子を被制御ＬＥＤの制御と関連付ける前記ステップは、前記ユーザーインターフェイス素子の少なくとも１つの物理的特徴に基づき、前記少なくとも１つの物理的特徴はＲＦタグである、請求項１に記載の方法。
【請求項７】
前記ユーザーインターフェイス素子を前記被制御ＬＥＤの制御と関連付ける前記ステップは、
構成フェーズを開始するステップと、
前記構成フェーズ中に前記被制御ＬＥＤの視覚的表示を提供するステップと、
前記被制御ＬＥＤの前記視覚的表示に応じて、前記構成フェーズ中に前記ユーザーインターフェイス素子の前記被制御ＬＥＤの制御との関連付けを示す構成承認を受け取るステップとを含む、請求項１に記載の方法。
【請求項８】
前記覆われたＬＥＤのうちの少なくとも１つのＬＥＤによって前記ユーザーインターフェイス素子を照らすステップを更に含む、請求項１に記載の方法。 
【請求項９】
取り付け可能素子に応じて少なくとも１つの光源を調整する方法であって、
複数のＬＥＤのうちの１つ以上の覆われたＬＥＤの上の取り付け可能素子の存在を特定するステップと、
前記取り付け可能素子の存在の特定に基づき、前記取り付け可能素子を前記ＬＥＤのうちの被制御ＬＥＤと関連付けるステップと、
前記覆われたＬＥＤのうちの少なくとも１つによる前記取り付け可能素子の少なくとも１つの物理的特徴のセンシングに基づいて、前記取り付け可能素子の少なくとも１つの照明制御特性を特定するステップと、
前記取り付け可能素子の前記少なくとも１つの照明制御特性に基づき、前記被制御ＬＥＤの少なくとも１つの特性を調整するステップと
を含む、方法。
【請求項１０】
前記物理的特徴は、前記取り付け可能素子のサイズ及び形状のうちの少なくとも１つを含む、請求項９に記載の方法。
【請求項１１】
前記取り付け可能素子を前記被制御ＬＥＤと関連付ける前記ステップは、前記取り付け可能素子の前記被制御ＬＥＤへの近さに基づく、請求項９に記載の方法。
【請求項１２】
前記取り付け可能素子を前記被制御ＬＥＤの制御と関連付ける前記ステップは、前記覆われたＬＥＤの前記被制御ＬＥＤとの関連付けに基づく、請求項９に記載の方法。
【請求項１３】
前記取り付け可能素子とのユーザーインタラクションを特定するステップを更に含み、前記被制御ＬＥＤの少なくとも１つの特性を調整する前記ステップは、前記ユーザーインターフェイス素子との前記ユーザーインタラクションに応じたものである、請求項９に記載の方法。
【請求項１４】
メモリと、前記メモリ内に保存された命令を実行可能なコントローラとを含む照明装置であって、前記命令は、
複数のＬＥＤのうちの１つ以上の覆われたＬＥＤの上のユーザーインターフェイス素子の存在を特定する命令と、
前記ユーザーインターフェイス素子の存在の特定に基づき、前記ユーザーインターフェイス素子を前記ＬＥＤのうちの被制御ＬＥＤの制御と関連付ける命令と、
前記ユーザーインターフェイス素子の少なくとも１つの照明制御特性を特定する命令と、
前記ユーザーインターフェイス素子とのユーザーインタラクションを特定する命令と、
前記ユーザーインターフェイス素子との前記ユーザーインタラクションに応じて前記被制御ＬＥＤの少なくとも１つの特性を調整する命令であって、前記被制御ＬＥＤの前記調整は、前記ユーザーインターフェイス素子の前記照明制御特性に基づく、命令と
を含み、前記ユーザーインターフェイス素子は前記覆われたＬＥＤの上に取り付け可能である、照明装置。
【請求項１５】
少なくとも１つの調整可能な照明特性を有する照明を生成する少なくとも１つの光源と、
ユーザーインターフェイス素子の存在を感知可能な少なくとも１つのセンシングＬＥＤと、
前記光源及び前記センシングＬＥＤと電気通信する少なくとも１つのコントローラと
を含む、照明システムであって、
前記少なくとも１つのコントローラは、
前記少なくとも１つのセンシングＬＥＤからの入力に基づき前記ユーザーインターフェイス素子の存在を特定し、
前記ユーザーインターフェイス素子の存在の特定に基づき、前記ユーザーインターフェイス素子を前記光源の制御と関連付け、
前記覆われたＬＥＤのうちの１つによる取り付け可能素子の少なくとも１つの物理的特徴のセンシングに基づいて、前記ユーザーインターフェイス素子の少なくとも１つの照明制御特性を特定し、
前記ユーザーインターフェイス素子とのユーザーインタラクションを特定し、
前記ユーザーインターフェイスとの前記ユーザーインタラクションに応じて前記被制御ＬＥＤの少なくとも１つの特性を調整し、前記被制御ＬＥＤの前記調整は、前記ユーザーインターフェイス素子の前記照明制御特性に基づく、照明システム。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
射出窓と、
前記射出窓を介して光を発するように配されている少なくとも１つの固体状態光源を担持する光源基板と、
を有する照明装置であって、
前記射出窓は、前記光源基板の前面が前記射出窓の前記光源基板に面している表面と物理的に接触するようにされるのを可能にするように成形されており、前記光源基板は前記射出窓と物理的に接触したまま保持され、これにより前記光源基板と前記射出窓との間の熱的な接触を可能にし、前記光源から前記射出窓に向かっての熱伝達を容易にしていることを特徴とする、照明装置。
【請求項２】
前記射出窓は、前記光源基板に面している前記表面内の少なくとも１つの凹部を有し、前記凹部は前記射出窓と前記光源基板との間の物理的な接触を可能にするように前記光源を収容する、請求項１に記載の照明装置。
【請求項３】
前記射出窓と熱的に接触するように前記光源基板を押圧する付勢要素を更に有する、請求項１又は２に記載の照明装置。
【請求項４】
前記少なくとも１つの光源を囲むと共に、前記光源から発される光を前記射出窓に向かって反射する漏斗型体を更に有する、請求項１乃至３の何れか一項に記載の照明装置。
【請求項５】
前記射出窓及び前記漏斗型体は、１つの一体化されたユニットとして形成される、請求項４に記載の照明装置。
【請求項６】
前記漏斗型体は内側部及び外側部を有し、熱充填材が前記内側部と前記外側部との間に配されている、請求項４又は５に記載の照明装置。
【請求項７】
前記熱充填材は、液体、ペースト、固体又は二相化されているものである、請求項６に記載の照明装置。
【請求項８】
光源ドライバ回路を担持する駆動基板を更に有し、前記付勢要素は、前記光源基板と前記駆動基板との間に挟まれており、これにより前記駆動基板を前記漏斗型体と熱的に接触するように押圧している、請求項３に従属する請求項４乃至７の何れか一項に記載の照明装置。
【請求項９】
前記光源基板を前記射出窓に対して熱的に取り付けるように配された熱接着剤を更に有する、請求項１乃至８の何れか一項に記載の照明装置。
【請求項１０】
前記駆動基板を前記漏斗型体に対して熱的に取り付けるように配された熱接着剤を更に有する、請求項８に記載の照明装置。
【請求項１１】
前記付勢要素は、前記基板上に力を印加するように、圧縮状態にある弾力部材により構成されている、請求項８に記載の照明装置。
【請求項１２】
前記付勢要素は、天然ポリイソプレン、合成ポリイソプレン、ポリブタジエン、クロロプレンゴム、ブチルゴム、ハロゲン化されたブチルゴム、スチレン−ブタジエンゴム、ニトリルゴム、水素化されたニトリルゴム、ＥＰＭゴム、ＥＰＤＭゴム、エピクロルヒドリン、ポリアクリルゴム、シリコーンゴム、フルオロシリコーンゴム、フルオロエラストマ、クロロスルホン化ポリエチレン、エチレン酢酸ビニル及びグラスウールから成るグループから選択された材料で作られている、請求項３又は請求項３に従属する請求項４乃至１１の何れか一項に記載の照明装置。